(57)【要約】【課題】  オンオフ切り替えの簡易なヘッドマウントディスプレイ装置を提供することを目的とする。【解決手段】  ユーザーの頭部に係止する装着部と、装着部に対して位置調整可能に設けられ、ユーザーの音声を集音するマイク部と、マイク部の調整位置に応じて、マイク部の集音動作をオンオフ切り替える集音スイッチ部と、外部と通話する通話部と、を備え、集音スイッチ部は、通話部が外部から電話着信を検知した場合、マイク部の調整位置にかかわらず、マイク部の集音動作をオンに切り替える。【選択図】    図５
2014212526.tif 000002
【特許請求の範囲】
【請求項１】
ユーザーの頭部に係止する装着部と、
前記装着部に対して位置調整可能に設けられ、前記ユーザーの音声を集音するマイク部と、
前記マイク部の調整位置に応じて、前記マイク部の集音動作をオンオフ切り替える集音スイッチ部と、
外部と通話する通話部と、を備え、
前記集音スイッチ部は、前記通話部が前記外部から電話着信を検知した場合、前記マイク部の調整位置にかかわらず、前記マイク部の集音動作をオンに切り替える
ことを特徴とするヘッドマウントディスプレイ装置。
【請求項２】
請求項１に記載のヘッドマウントディスプレイ装置において、
前記装着部に対して位置調整可能に設けられ、前記ユーザーの視野に画像を表示する画像表示部を備えたことを特徴とするヘッドマウントディスプレイ装置。
【請求項３】
請求項２に記載のヘッドマウントディスプレイ装置において、
前記画像表示部の調整位置に応じて、前記画像表示部の画像表示動作をオンオフ切り替える表示スイッチ部を備えたことを特徴とするヘッドマウントディスプレイ装置。
【請求項４】
請求項１ないし請求項３のいずれか１項に記載のヘッドマウントディスプレイ装置において、
前記マイク部の調整位置に応じて、前記通話部の通話動作をオンオフ切り替える通話制御部を備えたことを特徴とするヘッドマウントディスプレイ装置。
【発明の詳細な説明】
【技術分野】
【０００１】
本発明は、ユーザーの頭部に装着して、ユーザー視野内に画像を表示するヘッドマウントディスプレイ装置に関する。
【背景技術】
【０００２】
従来、ヘッドマウントディスプレイ装置として、特表２０００−５１１３０６号公報（ＵＳＰ５，８８６，８２２）に記載されるものが知られている。
このヘッドマウントディスプレイ装置は、眼鏡レンズ内を表示画像の投影光路として使用することにより、眼鏡と一体化したコンパクトな装置構成を実現している。
【０００３】
また最近では、携帯電話（無線端末）を使用して、インターネット上のサーバーから、画像データを適宜にダウンロードすることが可能になっている。
そこで、上述のヘッドマウントディスプレイ装置と携帯電話とを接続することにより、携帯電話経由でダウンロードした画像データを、ヘッドマウントディスプレイ装置に手軽に表示することが可能になる。
【０００４】
このような接続形態により、屋外での映画視聴や、飛行機等のメンテナンス作業におけるマニュアル提供サービスなどを、比較的簡易に実現することが可能になる。
【発明の概要】
【発明が解決しようとする課題】
【０００５】
ところで、上述した画像再生では、ヘッドマウントディスプレイ装置と携帯電話とを接続しておかなければならない。そのため、携帯電話本来の通話動作に切り替えるためには、次のような手順を一々経る必要がある。
【０００６】
（１）ヘッドマウントディスプレイ装置と携帯電話との電気的な接続を切り離し、
（２）ヘッドマウントディスプレイ装置の表示回路をオフし、
（３）ヘッドマウントディスプレイ装置を頭部から外し、
（４）携帯電話をインターネットモードから通話モードに切り替え、
（５）携帯電話を耳に当てて、通話を開始する。
【０００７】
そのため、上述した接続形態では、画像表示と通話動作の切り替えが煩雑で、携帯電話の通話動作に即時に移行できないという問題点があった。
【課題を解決するための手段】
【０００８】
上述した課題を解決するため、本発明は下記のように構成される。
本発明は、ユーザーの頭部に係止する装着部と、装着部に対して位置調整可能に設けられ、ユーザーの音声を集音するマイク部と、マイク部の調整位置に応じて、マイク部の集音動作をオンオフ切り替える集音スイッチ部と、外部と通話する通話部と、を備え、集音スイッチ部は、通話部が外部から電話着信を検知した場合、マイク部の調整位置にかかわらず、マイク部の集音動作をオンに切り替える。
【０００９】
また、装着部に対して位置調整可能に設けられ、ユーザーの視野に画像を表示する画像表示部を備えてもよい。
また、画像表示部の調整位置に応じて、画像表示部の画像表示動作をオンオフ切り替える表示スイッチ部を備えてもよい。
【００１０】
また、マイク部の調整位置に応じて、通話部の通話動作をオンオフ切り替える通話制御部を備えてもよい。
【図面の簡単な説明】
【００１１】
【図１】第１の実施形態の外観図である。
【図２】第１の実施形態の内部ブロック図である。
【図３】エンコーダ１３のスイッチ動作を説明する図である。
【図４】エンコーダ１８のスイッチ動作を説明する図である。
【図５】ヘッドマウントディスプレイ装置１００のスイッチ動作を説明する流れ図である。
【図６】第２の実施形態におけるヘッドマウント部４０の外観図である。
【発明を実施するための形態】
【００１２】
以下、図面に基づいて本発明における実施の形態を説明する。
《第１の実施形態》
第１の実施形態は、請求項１〜４に対応する実施形態である。
［外観説明］
図１は、第１の実施形態におけるヘッドマウントディスプレイ装置１００の外観図である。
【００１３】
図１において、ヘッドマウントディスプレイ装置１００は、ヘッドマウント部１０およびプレーヤー部２１とから概略構成される。
このヘッドマウント部１０は、次の構成部品から構成される。
（１）ユーザーの頭部に懸架される湾曲したバンド１１。
（２）バンド１１の両端に固定されたスピーカー１２ａ，１２ｂ。
【００１４】
このスピーカー１２ａ、１２ｂは、バンド１１の湾曲しようとする付勢力によって、ユーザーの両耳に当接する。
（３）略円弧状のディスプレイアーム１４。
このディスプレイアーム１４の両端は、スピーカー１２ａ，１２ｂの背面に対して回動自在に軸支される。
【００１５】
（４）ディスプレイアーム１４の軸支箇所に設けられ、バンド１１とディスプレイアーム１４との角度を検出するエンコーダ１３。
このエンコーダ１３は、ディスプレイアーム１４が視野範囲内（例えば、図３に示すθ1on）にある場合、オン信号を出力する。また、エンコーダ１３は、ディスプレイアーム
１４が視野範囲外（例えば、図３に示すθ1off）にある場合、オフ信号を出力する。
【００１６】
（５）ディスプレイアーム１４内に配置される左右の液晶素子１５ａ，１５ｂ（照明ユニットも含む）、左右の投影レンズ１６ａ，１６ｂ、および左右のミラー１７ａ，１７ｂ。
ユーザーは、このミラー１７ａ，１７ｂおよび投影レンズ１６ａ，１６ｂを通して、液晶素子１５ａ，１５ｂの表示画像を観察する。
【００１７】
（６）ミラー１７ａ，１７ｂの位置をユーザーの眼幅に合わせて調整するための眼幅調整部２３
（７）スピーカー１２ａに回動自在に軸支されるマイクアーム１９、およびマイクアーム１９の端に配置されるマイク２０。
【００１８】
（８）マイクアーム１９の軸支箇所に設けられ、バンド１１とマイクアーム１９との角度を検出するエンコーダ１８。
このエンコーダ１８は、ユーザー音声の集音可能範囲内（例えば、図４に示すθ2on）
にマイクアーム１９がある場合、オン信号を出力する。また、エンコーダ１８は、マイクアーム１９が集音可能範囲外（例えば、図４に示すθ2off）にある場合、オフ信号を出力する。
【００１９】
一方、プレーヤー部２１は、真ん中のヒンジ部を介して、二つ折り可能に構成される。
この二つ折りを開いた状態では、内側から携帯電話の操作部が現れる。ユーザーは、この携帯電話を操作することにより、電話通話やインターネット接続を適宜に行うことができる。
【００２０】
また、二つ折りを閉じた状態では、ユーザーの親指が当接する位置に、画像再生用の再生スイッチ２２が設けられる。ユーザーは、この再生スイッチ２２を操作することにより、画像表示のリモートコントロール（再生、停止、高速再生、コマ送りなど）を行うことができる。
［内部ブロック図の説明］
図２は、ヘッドマウントディスプレイ装置１００の内部ブロック図である。
【００２１】
図２において、ヘッドマウント部１０の内部基板上には、ローカル制御回路２４が設けられる。このローカル制御回路２４には、スピーカー１２ａ，１２ｂ、および液晶駆動回路２５ａ，２５ｂが接続される。これらの液晶駆動回路２５ａ，２５ｂには、液晶素子１５ａ，１５ｂがそれぞれ接続される。
また、ローカル制御回路２４には、集音回路２６を介して、マイク２０で集音された音声信号が入力される。さらに、ローカル制御回路２４には、エンコーダ１３、エンコーダ１８、および通信インターフェース２７が接続される。
【００２２】
一方、プレーヤー部２１の内部基板上には、メイン制御回路３６が設けられる。このメイン制御回路３６には、通信インターフェース３１、電話装置３２、再生スイッチ２２およびバッファメモリ３７がそれぞれ接続される。
この電話装置３２は、外部の無線基地局３３を介して、電話回線網３４やインターネット３５に随時接続することができる。
【００２３】
［発明との対応関係］
以下、第１の実施形態と、請求項との対応関係について説明する。なお、ここでの対応関係は、参考のために一解釈を例示するものであり、本発明を徒らに限定するものではない。
請求項記載の装着部は、バンド１１およびスピーカー１２ａ，１２ｂに対応する。
【００２４】
請求項記載の画像表示部は、ディスプレイアーム１４、液晶素子１５ａ，１５ｂ、投影レンズ１６ａ，１６ｂ、ミラー１７ａ，１７ｂ、および液晶駆動回路２５ａ，２５ｂに対応する。
請求項記載の表示スイッチ部は、エンコーダ１３およびローカル制御回路２４に対応する。
【００２５】
請求項記載のマイク部は、マイクアーム１９およびマイク２０に対応する。
請求項記載の集音スイッチ部は、エンコーダ１８およびローカル制御回路２４に対応する。
請求項記載の通話部は、電話装置３２に対応する。
請求項記載の通話制御部は、メイン制御回路３６に対応する。
【００２６】
［第１の実施形態の動作説明］
図５は、ヘッドマウントディスプレイ装置１００のスイッチ動作を説明する流れ図である。以下、図５に示すステップ番号に沿って、本発明の特徴的な動作を説明する。
【００２７】
まず、ヘッドマウント部１０は、ディスプレイアーム１４およびマイクアーム１９をバンド１１と揃えることにより、コンパクトな形態で持ち運びされる。この状態では、後述するローカル制御回路２４の動作によって、画像表示関連およびマイク関連の電源が全てオフされ、省電力状態（パワーオン待機状態）を維持する。ユーザーは、この状態からバンド１１を頭部に装着し、ディスプレーアーム１４およびマイクアーム１９を顔の前方にそれぞれ倒すことによって、ヘッドマウント装置１００の使用を開始する。
【００２８】
ステップＳ１：  ローカル制御回路２４は、エンコーダ１３の信号出力から、ディスプレイアーム１４の角度を検出する。
ステップＳ２：  ローカル制御回路２４は、ディスプレイアーム１４の角度に基づいて、ディスプレイアーム１４の調整位置を検知する。すなわち、ディスプレイアーム１４が視野範囲から外れたことを検知すると、ローカル制御回路２４はステップＳ３に動作を移行する。一方、それ以外の場合、ローカル制御回路２４はステップＳ４に動作を移行する。
【００２９】
ステップＳ３：  ローカル制御回路２４は、画像表示関連（液晶駆動回路２５ａ，２５ｂ、液晶素子１５ａ，１５ｂなど）の電源をオフする。また、ローカル制御回路２４は、通信インターフェース２７，３１を介して、プレーヤー部２１側に再生動作の一時停止を指示する。プレーヤー部２１内のメイン制御回路３６は、この指示に従って、画像の再生動作を一時停止する。
【００３０】
ステップＳ４：  ローカル制御回路２４は、ディスプレイアーム１４の角度に基づいて、ディスプレイアーム１４の調整位置を検知する。すなわち、ディスプレイアーム１４が視野範囲内に入ったことを検知すると、ローカル制御回路２４はステップＳ５に動作を移行する。一方、それ以外の場合、ローカル制御回路２４はステップＳ６に動作を移行する。
【００３１】
ステップＳ５：  ローカル制御回路２４は、画像表示関連の電源をオンする。また、ローカル制御回路２４は、通信インターフェース２７，３１を介して、プレーヤー部２１側に再生動作の再開を指示する。プレーヤー部２１内のメイン制御回路３６は、この指示に従って、再生動作の一時停止を解除する。
ステップＳ６：  ローカル制御回路２４は、エンコーダ１８の信号出力から、マイクアーム１９の角度を検出する。
【００３２】
ステップＳ７：  ローカル制御回路２４は、マイクアーム１９の角度に基づいて、マイクアーム１９の調整位置を検知する。すなわち、マイクアーム１９の先端がユーザーの口から離れ、マイク２０が集音可能範囲から外れたことを検知すると、ローカル制御回路２４はステップＳ８に動作を移行する。一方、それ以外の場合、ローカル制御回路２４はステップＳ９に動作を移行する。
【００３３】
ステップＳ８：  ローカル制御回路２４は、マイク関連（集音回路２６，マイク２０など）の電源をオフする。また、ローカル制御回路２４は、通信インターフェース２７，３１を介して、プレーヤー部２１側に通話関連の電源オフを指示する。プレーヤー部２１内のメイン制御回路３６は、この指示に従って、電話装置３２内の通話関連の回路電源をオフにする。
【００３４】
ステップＳ９：  ローカル制御回路２４は、マイクアーム１９の角度に基づいて、マイクアーム１９の調整位置を検知する。すなわち、マイクアーム１９の先端がユーザーの口に近づき、マイク２０が集音可能範囲内に入ったことを検知すると、ローカル制御回路２４
はステップＳ１０に動作を移行する。一方、それ以外の場合、ローカル制御回路２４はステップＳ１に動作を戻す。
【００３５】
ステップＳ１０：  ローカル制御回路２４は、マイク関連（集音回路２６，マイク２０など）の電源をオンする。また、ローカル制御回路２４は、通信インターフェース２７，３１を介して、プレーヤー部２１側に通話関連の電源オンを指示する。プレーヤー部２１内のメイン制御回路３６は、この指示に従って、電話装置３２内の通話関連の回路電源をオンにする（いわゆるオフフック状態）。この状態で、ユーザーは、ヘッドマウント部１０を装着したまま、マイク２０およびスピーカー１２ａ，１２ｂを使用して電話通話を行うことができる。
【００３６】
なお、上記動作中に、電話装置３２が電話着信を検知すると、メイン制御回路３６は、電話着信音をヘッドマウント部１０側に伝達する。この電話着信音は、ヘッドマウント部１０側のスピーカー１２ａ，１２ｂにおいて再生され、ユーザーに電話着信を知らせる。このような電話着信時には、マイクアーム１９の位置に係わらず、マイク関連の電源を強制的にオンに切り替えることが好ましい。この場合、より迅速に通話動作に移行することが可能になる。
【００３７】
［第１の実施形態の効果など］
上述したように、第１の実施形態では、ユーザーが、ディスプレイアーム１４やマイクアーム１９の位置を調整するだけで、画像表示関連やマイク関連のオンオフを簡単に切り替えることができる。
その結果、ユーザーは、ヘッドマウント部１０を頭部に装着したまま、電話通話と画像再生といった２つの動作を迅速に切り替えることができる。
【００３８】
《第２の実施形態》
第２の実施形態は、請求項１〜４に対応する実施形態である。
図６は、第２の実施形態におけるヘッドマウント部４０の外観図である。
ヘッドマウント部４０の構成上の特徴点は、次の点である。
（１）第１の実施形態におけるバンド１１が省略される。この場合、ヘッドマウント部４０は、ディスプレイアーム１４の内向きの付勢力や、耳掛け構造（不図示）などによって、ユーザーの頭部に係止される。
【００３９】
（２）ディスプレイアーム１４の中央には、スライド調整部４４、蝶足４５、およびパッド４６が設けられる。ユーザーは、このパッド４６を鼻に乗せることにより、ディスプレイアーム１４を視野範囲に配置することができる。（なお、個人差などによりディスプレイアーム１４が視野範囲に位置しない場合には、スライド調整部４４により高さを適宜に調整する。）
（３）パッド４６にはタッチセンサ４３が設けられる。このタッチセンサ４３において鼻の接触を感知することにより、ローカル制御回路２４は、ディスプレイアーム１４が視野範囲内に位置しているか否かを判定することができる。第２の実施形態では、このタッチセンサ４３のセンサ出力に応じて、ローカル制御回路２４が、画像表示関連のオンオフ切り替えを実行する。
【００４０】
なお、その他の構成および動作については、第１の実施形態と同一であるため、同一の参照符号をそのまま使用し、ここでの重複説明を省略する。
［発明との対応関係］
以下、第２の実施形態と、請求項記載事項との対応関係について説明する。なお、ここでの対応関係は、参考のために一解釈を例示するものであり、本発明を徒らに限定するものではない。
【００４１】
請求項記載の装着部は、スピーカー１２ａ，１２ｂおよびディスプレイアーム１４に対応する。
請求項記載の画像表示部は、ディスプレイアーム１４、液晶素子１５ａ，１５ｂ、投影レンズ１６ａ，１６ｂ、ミラー１７ａ，１７ｂ、および液晶駆動回路２５ａ，２５ｂに対応する。
【００４２】
請求項記載の表示スイッチ部は、タッチセンサ４３およびローカル制御回路２４に対応する。
請求項記載のマイク部は、マイクアーム１９およびマイク２０に対応する。
請求項記載の集音スイッチ部は、エンコーダ１８およびローカル制御回路２４に対応する。
【００４３】
請求項記載の通話部は、電話装置３２に対応する。
請求項記載の通話制御部は、メイン制御回路３６に対応する。
［第２の実施形態の効果など］
第２の実施形態においても、ユーザーは、ディスプレイアーム１４やマイクアーム１９の位置を調整することにより、画像表示関連やマイク関連のオンオフを簡単に切り替えることができる。
【００４４】
その結果、ユーザーは、ヘッドマウント部４０を頭部に装着したまま、電話通話と画像再生といった２つの動作を迅速に切り替えることができる。
《実施形態の補足事項》
なお、上述した実施形態では、ディスプレイアーム１４を、ユーザーの目よりも細い略一様な幅に形成することが好ましい。この場合、ディスプレイアーム１４が、ユーザーの目を部分的にしか覆わないため、顔全体の印象を良好に保つことができる。さらに、ディスプレイアーム１４を、可視光を透過する透明樹脂で形成し、かつミラー１７ａ，１７ｂを「可視光を透過するホログラム素子」で形成することが好ましい。この場合、ディスプレイアーム１４が外観上ほとんど透明となるため、顔全体の印象をさらに良好に保つことができる。
【００４５】
また、上述した実施形態では、ローカル制御回路２４によって電源のオンオフ切り替えを実現している。しかしながら、本発明はこれに限定されるものではない。例えば、エンコーダ１３，１８に代えて回転式スイッチを配置し、この回転式スイッチを用いて電源や回路を直に断続してもよい。
【符号の説明】
【００４６】
１０  ヘッドマウント部
１１  バンド
１３  エンコーダ
１４  ディスプレイアーム
１７ａ，１７ｂ  ミラー
１８  エンコーダ
１９  マイクアーム
２０  マイク
２１  プレーヤー部
２２  再生スイッチ
２３  眼幅調整部
２４  ローカル制御回路
２５ａ，２５ｂ  液晶駆動回路
２６  集音回路
２７  通信インターフェース
３１  通信インターフェース
３２  電話装置
３３  無線基地局
３４  電話回線網
３５  インターネット
３６  メイン制御回路
３７  バッファメモリ
４０  ヘッドマウント部
４３  タッチセンサ
４４  スライド調整部
４５  蝶足
４６  パッド
１００  ヘッドマウントディスプレイ装置
【図１】
2014212526.tif 000003
【図２】
2014212526.tif 000004
【図３】
2014212526.tif 000005
【図４】
2014212526.tif 000006
【図５】
2014212526.tif 000007
【図６】
2014212526.tif 000008
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
アームと、
前記アームをユーザーの頭部に装着する耳掛け部と、
前記アームに設けられ、前記ユーザーの鼻に接触するパッドと、
前記アームの中央部と一方の端部との間に設けられたマイク部と、
前記アームの前記中央部と前記一方の端部との間に設けられたスピーカーと
を備えることを特徴とするヘッドマウントディスプレイ装置。
【請求項２】
請求項１に記載のヘッドマウントディスプレイ装置において、
前記アームの幅は前記ユーザーの目よりも細いことを特徴とするヘッドマウントディスプレイ装置。
【請求項３】
請求項１または請求項２に記載のヘッドマウントディスプレイ装置において、
前記マイク部により外部と通話する通話部を備えることを特徴とするヘッドマウントディスプレイ装置。
【請求項４】
請求項３に記載のヘッドマウントディスプレイ装置において、
前記通話部が前記外部から電話着信を検知した場合、前記マイク部の電源をオンに切り替えることを特徴とするヘッドマウントディスプレイ装置。
【手続補正２】
【補正対象書類名】明細書
【補正対象項目名】０００８
【補正方法】変更
【補正の内容】
【０００８】
本発明を例示するヘッドマウントディスプレイ装置の一態様は、アームと、アームをユーザーの頭部に装着する耳掛け部と、アームに設けられ、ユーザーの鼻に接触するパッドと、アームの中央部と一方の端部との間に設けられたマイク部と、アームの中央部と一方の端部との間に設けられたスピーカーとを備える。
【手続補正３】
【補正対象書類名】明細書
【補正対象項目名】０００９
【補正方法】変更
【補正の内容】
【０００９】
また、アームの幅はユーザーの目よりも細くてもよい。
また、マイク部により外部と通話する通話部を備えてもよい。
【手続補正４】
【補正対象書類名】明細書
【補正対象項目名】００１０
【補正方法】変更
【補正の内容】
【００１０】
また、通話部が外部から電話着信を検知した場合、マイク部の電源をオンに切り替えてもよい。
【手続補正５】
【補正対象書類名】明細書
【補正対象項目名】００１２
【補正方法】変更
【補正の内容】
【００１２】
以下、図面に基づいて本発明における実施の形態を説明する。
《第１の実施形態》
［外観説明］
図１は、第１の実施形態におけるヘッドマウントディスプレイ装置１００の外観図である。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００３８
【補正方法】変更
【補正の内容】
【００３８】
《第２の実施形態》
図６は、第２の実施形態におけるヘッドマウント部４０の外観図である。
ヘッドマウント部４０の構成上の特徴点は、次の点である。
（１）第１の実施形態におけるバンド１１が省略される。この場合、ヘッドマウント部４０は、ディスプレイアーム１４の内向きの付勢力や、耳掛け構造（不図示）などによって、ユーザーの頭部に係止される。
【手続補正１０】
【補正対象書類名】明細書
【補正対象項目名】００４０
【補正方法】変更
【補正の内容】
【００４０】
なお、その他の構成および動作については、第１の実施形態と同一であるため、同一の参照符号をそのまま使用し、ここでの重複説明を省略する。
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】変更
【補正の内容】
【００４３】
［第２の実施形態の効果など］
第２の実施形態においても、ユーザーは、ディスプレイアーム１４やマイクアーム１９の位置を調整することにより、画像表示関連やマイク関連のオンオフを簡単に切り替えることができる。